(57)【要約】【課題】ユーザーが好みの筆記体とそれに対応した摺動体を蓋体の回動によって、軸筒内に交換可能に収容できる多芯筆記具において、蓋体を装着し易く、且つ外れ難い構造を提供する。【解決手段】スライド式の多芯筆記具において、軸筒の後端部に、軸筒の外面から突出した基部を形成し、蓋体の一端部に設けた係合部が、前記基部に形成したヒンジ部に、回動自在に凹凸係合し、且つ前記蓋体の嵌合部の突部を、前記軸筒の後端部に、後方に向かって突出した被嵌合部の突部に、着脱自在に乗り越し嵌合して、前記開口部を開閉自在に付設するとともに、前記クリップの後端部の側壁に形成した装着部を、前記基部の側壁に形成した被装着部に装着し、前記クリップの装着部から後方に延出した延出部が、前記蓋体の係合部とヒンジ部の延長線上に位置する。【選択図】図１
2013006384.tif 000002
【特許請求の範囲】
【請求項１】
軸筒内に複数の筆記体をコイルスプリングにより軸筒後端方向に付勢して配設し、各筆記体の後部に連接した摺動体を、軸筒に設けた摺動溝に摺動自在に収納するとともに、前記摺動体に、前記摺動溝から外方に突出する操作部を一体に形成または付設し、前記操作部を軸筒先端方向にスライドすることにより、筆記体の筆記部の突出を維持し、前記軸筒の後端部にクリップを付設してなるスライド式の多芯筆記具において、前記軸筒の後端に、摺動溝の後方と連通する開口部を設け、前記開口部から、前記摺動体を、軸筒内から取り外し可能及び軸筒内に挿入可能に構成し、前記軸筒の後端部に、軸筒の外面から突出した基部を形成し、前記蓋体の一端部に設けた係合部が、前記基部に形成したヒンジ部に、回動自在に凹凸係合し、且つ前記蓋体の嵌合部の突部を、前記軸筒の後端部に、後方に向かって突出した被嵌合部の突部に、着脱自在に乗り越し嵌合して、前記開口部を開閉自在に付設するとともに、前記クリップの後端部の側壁に形成した装着部を、前記基部の側壁に形成した被装着部に装着し、前記クリップの装着部から後方に延出した延出部が、前記蓋体の係合部とヒンジ部の延長線上に位置することを特徴とするスライド式の多芯筆記具。
【請求項２】
前記延出部の内壁と、前記蓋体の係合部の側壁とが隙間を有するとともに、前記隙間が、前記蓋体の係合部のヒンジ部への没入量よりも小さいことを特徴とする請求項１に記載のスライド式の多芯筆記具。
【発明の詳細な説明】
【技術分野】
【０００１】
本発明は、軸筒内に複数の筆記体を収容した多芯筆記具に関する。
【背景技術】
【０００２】
多芯筆記具において、特開２００３−１１５８３号公報「スライド式の多芯筆記具」では、各筆記体の後部に操作部を設けた摺動体を連接し、操作部を軸筒の外方に突出させ、操作部を摺動体に着脱自在に装着したことにより、使用者の好みにあった筆記体に交換した際に、誤った筆記体の選択をすることなく、また操作部の形状や色柄も選択可能とした構成は開示している。
【０００３】
前記従来の多芯筆記具は、ユーザーが、交換前に軸筒内に収容されていた筆記体とは異なる種類の筆記体に交換する際、摺動体を軸筒内に残した状態で、摺動体から筆記体と操作部とを取り外し、その後、摺動体に新たな筆記体と新たな操作部とを取り付ける。そのため、筆記体の交換作業が複雑であり、ユーザーが迅速且つ確実な交換を行うことができないおそれがあり、さらに、複数の筆記体を同時に交換する場合、誤って、筆記体とその筆記体に対応しない操作部とを一つの摺動体に取り付けるおそれがある。また、前記操作部は、小さな部品であるため、紛失しやすい。
【０００４】
こうした問題を鑑みて、特開２００７−３８６３５号公報「多芯筆記具」では、軸筒の後端に、摺動溝を後方に開口させる開口部を設け、前記開口部から、前記摺動体を、軸筒内から取り外し可能及び軸筒内に挿入可能に、蓋体を軸筒に設けたヒンジ部等のヒンジ部に、回動自在に装着した構成が開示されている。
【先行技術文献】
【特許文献】
【０００５】
【特許文献１】特開２００３−１１５８３号公報
【特許文献１】特開２００７−３８６３５号公報
【発明の開示】
【発明が解決しようとする課題】
【０００６】
ところで、蓋体を回動自在に取り付けする方法には様々な方法が考えられるが、部品点数の増加等を考慮すると、ヒンジ部に回動自在に凹凸嵌合することが最も好ましい。さらに組立性を考慮すると、ヒンジ部に取り付けし易いように、凹凸嵌合力を弱くすることが好ましいが、嵌合し易くする反面、回動時に外れて易いという問題が生じる。
【０００７】
本発明の目的は、ユーザーが好みの筆記体とそれに対応した摺動体を軸筒内に交換可能に収容でき、しかも、筆記体及び摺動体を迅速且つ確実に交換することができる多芯筆記具において、蓋体を装着し易く、且つ外れ難い構造を提供するものである。
【課題を解決するための手段】
【０００８】
上記目的を達成するために、本発明は、軸筒内に複数の筆記体をコイルスプリングにより軸筒後端方向に付勢して配設し、各筆記体の後部に連接した摺動体を、軸筒に設けた摺動溝に摺動自在に収納するとともに、前記摺動体に、前記摺動溝から外方に突出する操作部を一体に形成または付設し、前記操作部を軸筒先端方向にスライドすることにより、筆記体の筆記部の突出を維持し、前記軸筒の後端部にクリップを付設してなるスライド式の多芯筆記具において、前記軸筒の後端に、摺動溝の後方と連通する開口部を設け、前記開口部から、前記摺動体を、軸筒内から取り外し可能及び軸筒内に挿入可能に構成し、前記軸筒の後端部に、軸筒の外面から突出した基部を形成し、前記蓋体の一端部に設けた係合部が、前記基部に形成したヒンジ部に、回動自在に凹凸係合し、且つ前記蓋体の嵌合部の突部を、前記軸筒の後端部に、後方に向かって突出した被嵌合部の突部に、着脱自在に乗り越し嵌合して、前記開口部を開閉自在に付設するとともに、前記クリップの後端部の側壁に形成した装着部を、前記基部の側壁に形成した被装着部に装着し、前記クリップの装着部から後方に延出した延出部が、前記蓋体の係合部とヒンジ部の径方向における延長線上に位置することを特徴とする。
【０００９】
また、前記延出部の内壁と、前記蓋体の係合部の側壁とが隙間を有するとともに、前記隙間が、前記蓋体の係合部のヒンジ部への没入量よりも小さいことを特徴とする。
【００１０】
本願発明の請求項１の構成によれば、前記多芯筆記具は、蓋体を回動して軸筒後端の開口部を開けることで、ユーザーが軸筒内の筆記体を取り外して好みの筆記体に交換できると同時に、摺動体も、軸筒内から取り外してその筆記体に適正に対応したものに交換でき、筆記体と摺動体との誤った連結を防止できる。
【００１１】
また、前記クリップの側壁の延出部が、前記蓋体の係合部とヒンジ部の径方向における延長線上に位置し、蓋体の係合部とヒンジ部を覆うように付設してあるため、蓋体の係合部とヒンジ部との係合力が小さくても蓋体の回動によって、蓋体が外れることを防止できる。
【００１２】
本願発明の請求項２の構成によれば、前記延出部の内壁と、前記蓋体の係合部の側壁とが隙間を有することで、クリップを装着し易くすることができる。また、前記隙間が、前記蓋体の係合部のヒンジ部への没入量よりも小さくすることで、係合部とヒンジの外れる前に、蓋体と延出部が当接するため、係合部とヒンジの外れ防止効果を損なうことがない。
【００１３】
尚、本発明のクリップには、クリップの破損防止や蓋体の外れ防止効果を高めるため、軸筒よりも硬質であることが好ましく、金属製のクリップとすることが最も好ましい。また、蓋体には、ＰＰ樹脂、ＰＯＭ樹脂、ＰＣ樹脂、ＡＢＳ樹脂等の合成樹脂材料や、熱可塑性エラストマー、シリコーンゴム等の軟質料等を用いることができる。
【発明の効果】
【００１４】
本発明は、ユーザーが好みの筆記体とそれに対応した摺動体を軸筒内に交換可能に収容でき、しかも、筆記体及び摺動体を迅速且つ確実に交換することができる多芯筆記具において、蓋体を装着し易く、且つ外れ難い構造を提供することができた。
【図面の簡単な説明】
【００１５】
【図１】実施例１のスライド式の多芯筆記具を示す外観図である。
【図２】図１における筆記部を突出した状態を示す図である。
【図３】図１における蓋体を開いた状態を示す図である。
【図４】図１におけるクリップ側から見た図である。
【図５】図１における筆記体を示す図である。
【図６】図１における筆記体及び摺動体を省略した縦断面図である。
【図７】図６における、一部省略した要部拡大縦断面図である。
【図８】図７におけるＡ−Ａ断面図である。
【図９】図７におけるＢ−Ｂ断面図である。
【図１０】実施例２のスライド式の多芯筆記具の一部省略した要部拡大図である。
【発明を実施するための最良の形態】
【００１６】
次に図面を参照しながら、本発明のスライド式の多芯筆記具の実施形態を説明するが、本発明は以下の実施形態に限定されるものではない。
実施例１
図１〜図９に示す実施例１のスライド式の多芯筆記具１は、前軸２と後軸３を連結具４を介して螺合により取り付けられる軸筒本体内に複数本（具体的には４本）の筆記体が前後方向に移動可能に収容されている。筆記体１５の後部には、筆記体１５のインキ収容筒１５に収容した筆記具用インキと同色の摺動体９を配設してあり、筆記体１５は、コイルスプリング１３により後方に付勢してある、従来から知られている出没機構のスライド式の多芯筆記具である。他の筆記体について詳細は図示していないが、筆記体１５と同様にして、筆記体を配設してある。
【００１７】
筆記体１５は、ボールペンレフィルであり、インキ収容筒１６の先端部にボールが回転可能に抱持された筆記部１７を装着し、インキ収容筒１６の内部には、黒色の剪断減粘性を有する水性ゲルインキ及びインキ追従体を直に収容してある。図示はしていないが、他の３本の筆記体も筆記体１５と同様に、インキ収容筒の先端部にボールペンチップからなる筆記部を装着し、色の異なる水性ゲルインキ及びインキ追従体を直に収容したボールペンレフィルである。
【００１８】
後軸３の後部には、前後方向に延びる細長状の摺動溝３ｂ、３ｃ、３ｄ、３ｅが４本、形成してあり、互いに、９０度間隔に形成される。また、摺動溝３ｂ、３ｃ、３ｄ、３ｅは、後方が開口した開口部３ｂａ、３ｃａを有していて、後軸３の後端３ａで摺動溝３ｂ、３ｃ、３ｄ、３ｅと連通している。
【００１９】
後軸３内には、略円筒状のスプリング支持部８を固着している。スプリング支持部８は、筆記体１５が挿通される内孔が軸方向に貫設し、スプリング支持部８と、各々の摺動体９、１０間には、コイルスプリング１３、１４が配置してある。
【００２０】
後軸３の後部、且つ後軸３の摺動溝３ｂ、３ｃ間の側面には、外方に向かって突出した基部３ｈを形成してあり、この基部３ｈに形成したヒンジ部３ｉに、ポリプロピレンからなる蓋体５の一端部に設け、クリップ１２を正面から見て左右に延出する係合部５ｃを係合して、蓋体５を回動自在に係合してあり、蓋体５を回動することで、後軸３の後端３ａを露出することができる。
【００２１】
また、基部３ｅには、金属製のクリップ１２が付設してある。具体的には、クリップ１１の後端部１２ａを略コ字状に形成してあり、クリップ１２の後端部１２ａに形成した鋸歯状の装着部１２ｂを、後軸３に突出した基部３ｅの溝に装着するとともに、装着部１２ｂから後方に、側面のみを延出した延出部１２ｃが、蓋体５の係合凸部５ｃとヒンジ部３ｆを覆うように付設してある。さらにまた、クリップの延出部１２ｃと蓋体５の係合凸部５ｃとの隙間Ｍは、ヒンジ部３ｉに係合した係合部５ｃの没入量Ｌよりも小さくしてある。
【００２２】
蓋体５には、装着筒部５ａを形成してあり、蓋体５が後軸３の後端３ａを閉鎖する際、後軸３の後端部に形成した、後方に向かって突出した被装着筒部３ｆの突出部３ｇに、装着筒部５ａの突部５ｂを乗り越し嵌合し、蓋体５を後軸３に対し、開閉自在に嵌合してある。
【００２３】
また、蓋体５を覆うように、蓋体５に設けた後方に向かって延びる軸部の係止部５ｄに、ポリカードネードからなる第２蓋体６内の被係止部６ｂを落とし込み嵌合し、蓋体の一部、具体的には、第２蓋体６は、蓋体５の嵌合部５ａの突部５ｂと後軸３の被嵌合部３ｆの突出部３ｇとの乗り越し嵌合の径方向における延長線上を被覆して装着してある。
【００２４】
第２蓋体６には、蓋体５の後軸３からの開閉動作を容易にするため、基部３ｈに係合した係合部５ｃの軸線に対して対称側の一端部に、外方に向かって突出する取手部６ａを一体に形成してある。また、第２蓋体６が蓋体５から離脱しないように、押さえピン７を第２蓋体内に嵌着してある。
【００２５】
筆記体１５のボールペンチップからなる筆記部１７を前軸２の先端開口部２ａから突出させるには、摺動体９の操作部９ａを、摺動溝３ｂに沿って、前軸２の先端開口部２ａ方向へスライドすることにより、摺動体９に形成した係合突起９ｂが後軸３内に形成した係止部（図示せず）に係止して、筆記体１５の筆記部１７を前軸２の先端開口部２ａから選択して突出を維持することができる。
【００２６】
また、筆記体１５の筆記部１７が前軸の先端開口部２ａから突出を維持した状態で、他の摺動体１０の操作部１０ａを前軸２の先端開口部２ａ方向にスライドすることで、摺動体１０の解除突起が、スリーブ１８を介して摺動体９の係止を解除し、筆記体１５の筆記部１７を前軸２内に没入させることができる。筆記体１４の筆記部１６が没入するとき、その筆記体１４に取り付けられた摺動体９の後端部は、蓋体５の前面に形成された当接壁部５ｄに衝止される。
【００２７】
筆記体１４を交換するには、蓋体５が後軸３の後端３ａを閉鎖した状態から、第２蓋体６の操作部６ａを後方に押圧（図１の矢印Ｆ方向）し、突出部３ｅと突部５ｂとの係合を解除し、蓋体５を後方に回動（図３の矢印Ｇ方向）させ、後軸３の後端３ａを露出する。
【００２８】
蓋体５を回動し、後軸３の後端３ａが露出すると、摺動溝３ｂ、３ｃの開口部３ｂａ、３ｃａから各々の摺動体９、１０が、コイルスプリング１３、１４の後方付勢により後方外部に突出される。この状態から摺動体９を取り出すことにより、その摺動体９と互いに連結状態にある筆記体１５を後軸３から取り出し、その後、互いに連結状態にある新たな筆記体（図示せず）と新たな摺動体とを後端が開口した摺動溝３ｂから後軸３内に挿入する。そして、蓋体５を前方に回動させ、その後、突出部３ｇと突部５ｂとを係合させ、後軸３の後端３ａを閉鎖する。これにより、筆記体及び摺動体の交換作業が終了するため、ユーザーが好みの筆記体とそれに対応した摺動体を軸筒内に交換可能に収容でき、しかも、筆記体及び摺動体を迅速且つ確実に交換することができる。
【００２９】
図１０に示す実施例２のスライド式筆記具は、後軸２３の後部、且つ後軸２３の摺動溝間の側面には、外方に向かって突出した基部２３ｈを形成し、この基部２３ｈに形成した一箇所のヒンジ部２３ｉに、蓋体２５の一端部に設けた一箇所の係合部５ｃを係合して、蓋体２５を回動自在に係合した以外は、実施例１と同様にしてスライド式の多芯筆記具を得ている。また、実施例１と同様に、ヒンジ部２３ｉと係合部５ｃの径方向の延長線上に、クリップ３２の延出部３２ｃが位置している。
【００３０】
尚、本発明で、筆記体には、例えば、ボールペン、マーキングペン、シャープペンシル等が挙げられる。また、本発明で、軸筒内に収容する筆記体の本数は、２本以上であればよく、具体的には、２本、３本、４本、５本、６本等が挙げられる。
【００３１】
また、ヒンジ部と係合部の係合方法は、一箇所又は二箇所でもよく、蓋体を回動自在に係合してあれば特に限定されないが、一箇所のヒンジ部に、蓋体の一端部に設けた一箇所の係合部を係合することで、組立性が著しく向上するので好ましい。
【産業上の利用可能性】
【００３２】
本発明の多芯筆記具は、インキの種類や筆記部に限定されることなく、多芯筆記具として広く実施可能である。
【符号の説明】
【００３３】
１  スライド式の多芯筆記具
２  前軸
２ａ  先端開口部
３  後軸
３ａ  後端
３ｂ、３ｃ、３ｄ、３ｅ  摺動溝
３ｆ  被嵌合部
３ｇ  突起部
３ｈ、２３ｈ  基部
３ｉ、２３ｉ  ヒンジ部
４  連結具
５、２５  蓋体
５ａ、２５ａ  嵌合部
５ｂ  突部
５ｃ  係合部
６、２６  第２蓋体
６ａ、２６ａ  取手部
７  押さえピン
８  スプリング支持部
９、１０、１１  摺動体
９ａ、１０ａ、１１ａ  操作部
１２、３２  クリップ
１２ａ  後端部
１２ｂ  装着部
１２ｃ、３２ｃ  延出部
１３、１４  コイルスプリング
１５  筆記体
１７  筆記部
【図１】
2013006384.tif 000003
【図２】
2013006384.tif 000004
【図３】
2013006384.tif 000005
【図４】
2013006384.tif 000006
【図５】
2013006384.tif 000007
【図６】
2013006384.tif 000008
【図７】
2013006384.tif 000009
【図８】
2013006384.tif 000010
【図９】
2013006384.tif 000011
【図１０】
2013006384.tif 000012